(57)【要約】【課題】メンテナンス作業を効率的に行うことができると共に、周辺装置への電磁放射ノイズによる悪影響の防止したＸ線高電圧装置を提供する。【解決手段】交流−直流変換回路１の出力側に蓄電および平滑を目的としたコンデンサ１１，１２を接続し、このコンデンサ１１，１２には電圧分担を均等化する均等化抵抗１３，１４を並列接続し、またコンデンサ１１，１２の電極間には電圧を分圧するための分圧抵抗１５〜１８の直列接続体等の分圧手段が並列接続し、そのうちの分圧抵抗１６の両端電圧を磁石供給電圧Ｖｍとして電磁石装置２１に供給する。この電磁石装置２１は、ケースに対して取り外し可能なカバー２０に対応して配置されており、磁石供給電圧Ｖｍが供給されている間はカバー２０を磁気吸引して密着させ、磁石供給電圧Ｖｍが低下するとカバー２０の密着を解いて取り外しが可能な状態となる。【選択図】        図１
2004342439.tif 000002
【特許請求の範囲】
【請求項１】
商用交流電圧源を直流電圧に変換する交流−直流変換回路の出力側に蓄電および平滑を目的とした複数個のコンデンサを接続し、これらの各コンデンサには電圧分担を均等化する均等化抵抗を並列接続し、上記コンデンサの出力側に高周波の交流に変換する直流−交流変換回路を接続し、この直流−交流変換回路の出力側を高周波の高電圧交流に昇圧する高電圧変圧器に接続し、この高電圧変圧器の二次側に高電圧交流を直流に整流する高電圧整流器を接続し、これらを取り外し可能なカバーを有するケース内に収納し、上記高電圧整流器の出力側にＸ線を照射するＸ線管に接続したＸ線高電圧装置において、上記カバーを上記ケース側に釈放可能に磁気的に密着する電磁石装置と、上記コンデンサの電圧を分圧する分圧手段と、この分圧手段によって上記コンデンサの電圧が所定以下になったことを検出したとき上記電磁石装置による密着を解除する解除手段とを設けたことを特徴とするＸ線高電圧装置。
【請求項２】
請求項１記載のものにおいて、上記電磁石装置に定電圧を供給する定電圧電源を設け、上記解除手段は、上記分圧手段によって上記コンデンサの電圧が所定以下になったことを検出したとき上記電磁石装置を上記定電圧電源から遮断するスイッチを有することを特徴とするＸ線高電圧装置。
【請求項３】
請求項１記載のものにおいて、上記カバーが上記ケースに対して取り付けられた状態を検出する検出手段を設け、この検出手段による上記カバーの検出がないとき上記交流−直流変換回路および上記直流−交流変換回路の動作を停止する制御回路を設けたことを特徴とするＸ線高電圧装置。
【発明の詳細な説明】
【０００１】
【発明の属する技術分野】
本発明は、Ｘ線診断装置のＸ線管に所定の高電圧を印加するＸ線高電圧装置に関する。
【０００２】
【従来の技術】
Ｘ線診断装置のＸ線管に所定の高電圧を印加するＸ線高電圧装置は、短時間撮影、低リップル管電圧および低騒音の要求から、商用電源を直流に変換し、その直流を高周波の交流電圧に変換し、その後、昇圧および整流する方式が一般となってきた。このようなＸ線高電圧装置では、商用電源を直流に変換した後に蓄電および平滑を目的として静電容量の大きなコンデンサが用いられているが、不要エネルギーの排除と感電防止のために、必要のないときにコンデンサの電荷を強制放電させる強制放電機構が設けられている（例えば、特許文献１参照）。またＸ線高電圧装置は、内部に電圧が発生しているので、感電防止のために全体を収納したケースにカバーを設け、このカバーが確実に取り付けられていることを検知する検知機構等も設けられるようになってきた（例えば、特許文献２参照）。さらに最近では、電磁放射ノイズによる周辺装置への悪影響を防止するために、カバーの取付ねじを増やしてカバーの密着度を強化し、漏洩する電磁放射ノイズの低減を図っている。
【０００３】
【特許文献１】
特開昭６０−３８９９号公報
【特許文献２】
特開平９−１４９８９９号公報
【０００４】
【発明が解決しようとする課題】
しかしながら、上述した特許文献１に示されたＸ線高電圧装置では、コンデンサの電荷を強制放電させるための大電力（数百Ｗ程度）の電力用抵抗と、高耐圧（１０００Ｖ程度）の電磁接触器もしくは半導体スイッチング素子を必要とするため、大型で高価な電気部品によって装置の大型化を招き、かつコストアップにつながってしまう。また、電磁放射ノイズによる周辺装置への悪影響を防止するためにカバーの取り付けねじを増やすと、このカバーを外すときのねじの取り外し作業によりメンテテンス作業が煩雑となっている。
【０００５】
本発明の目的は、メンテナンス作業を効率的に行うことができると共に、周辺装置への電磁放射ノイズによる悪影響の防止したＸ線高電圧装置を提供することにある。
【０００６】
【課題を解決するための手段】
本発明は上記目的を達成するために、商用交流電圧源を直流電圧に変換する交流−直流変換回路の出力側に蓄電および平滑を目的とした複数個のコンデンサを接続し、これらの各コンデンサには電圧分担を均等化する均等化抵抗を並列接続し、上記コンデンサの出力側に高周波の交流に変換する直流−交流変換回路を接続し、この直流−交流変換回路の出力側を高周波の高電圧交流に昇圧する高電圧変圧器に接続し、この高電圧変圧器の二次側に高電圧交流を直流に整流する高電圧整流器を接続し、これらを取り外し可能なカバーを有するケース内に収納し、上記高電圧整流器の出力側にＸ線を照射するＸ線管に接続したＸ線高電圧装置において、上記カバーを上記ケース側に釈放可能に磁気的に密着する電磁石装置と、上記コンデンサの電圧を分圧する分圧手段と、この分圧手段によって上記コンデンサの電圧が所定以下になったことを検出したとき上記電磁石装置による密着を解除する解除手段とを設けたことを特徴とする。
【０００７】
本発明によるＸ線高電圧装置は、全体をを収納したケースに取り外し可能なカバーを設け、コンデンサの電圧が所定以下になったことを検出したとき上記電磁石装置による密着を解除する解除手段とを設けたため、Ｘ線曝射終了後、コンデンサを放電させて行くと電磁石装置の保持力も低下してカバーの取り外し可能状態とすることができ、しかも、コンデンサの充電中には電磁石装置によってカバーを取り外すことができないので、作業者の感電を防止することができると共に、ケース２３にカバー２０を密着させて電磁放射ノイズの漏洩を低減することができる。
【０００８】
また請求項２に記載の本発明は、請求項１記載のものにおいて、上記電磁石装置に定電圧を供給する定電圧電源を設け、上記解除手段は、上記分圧手段によって上記コンデンサの電圧が所定以下になったことを検出したとき上記電磁石装置を上記定電圧電源から遮断するスイッチを有することを特徴とする。
【０００９】
このようなＸ線高電圧装置によれば、コンデンサの電圧が変動したとしても電磁石装置に供給する電圧は定電圧電源によって一定の保持されるため、電磁石装置の動作特性を安定させることができ、またコンデンサ電圧の低下に関連してカバーを取り外し可能にするタイミングの設定も容易になる。
【００１０】
また請求項３に記載の本発明は、請求項１記載のものにおいて、上記カバーが上記ケースに対して取り付けられた状態を検出する検出手段を設け、この検出手段による上記カバーの検出がないとき上記交流−直流変換回路および上記直流−交流変換回路の動作を停止する制御回路を設けたことを特徴とする。
【００１１】
このようなＸ線高電圧装置によれば、ケースのカバーに対応した部分には、カバーが取り付けられていることを検知するマイクロスイッチ等の検出手段を設けており、カバーが取り外されて検出手段による検出がない場合、制御回路により交流−直流変換回路および直流−交流変換回路が動作しないように制御することができ、カバーの取り付け忘れを防止して一層安全性を向上させることができる。
【００１２】
【発明の実施の形態】
以下、本発明の実施の形態を図面に基づいて説明する。
図１は、本発明の一実施の形態によるＸ線高電圧装置を示すブロック構成図である。
商用交流電圧源８を直流電圧に変換する交流−直流変換回路１に入力し、交流−直流変換回路１の出力側には蓄電および平滑を目的としたコンデンサ１１，１２が接続されており、このコンデンサ１１，１２には電圧分担を均等化する均等化抵抗１３，１４がそれぞれ並列に接続されている。コンデンサ１１，１２の出力側には高周波の交流に変換する直流−交流変換回路２が接続されており、この直流−交流変換回路２の出力側には高周波の高電圧交流に昇圧する高電圧変圧器と、この高電圧変圧器の二次側に高電圧交流を直流に整流する高電圧整流器からなる高電圧タンク３が接続されている。この高電圧タンク３の出力は高電圧ケーブル５を介してＸ線を照射するＸ線管６に接続されている。
【００１３】
上述したコンデンサ１１，１２の電極間には、電圧を分圧するための分圧抵抗１５〜１８の直列接続体等からなる分圧手段が並列接続されており、そのうちの分圧抵抗１６の両端電圧は出力直流電圧ＶｏｕｔのＮ分の１に降圧されている。この分圧抵抗１６の両端電圧は、磁石供給電圧Ｖｍとして電磁石装置２１に供給されている。この電磁石装置２１は、詳細な図示を省略したケースに対して取り外し可能なカバー２０に対応して配置されており、磁石供給電圧Ｖｍが供給されている間は磁力を発してカバー２０を磁気吸引して密着させ、磁石供給電圧Ｖｍが停止するとカバー２０の密着を解いて取り外しが可能な状態となる。また、ケースのカバー２０に対応した部分には、カバー２０が取り付けられていることを検知するマイクロスイッチ等の検出手段２２を設けており、カバー２０が取り外されて検出手段２２がオンしない場合、その信号は商用交流電圧源８あるいは他の電源に接続した直流電源４によって動作する制御回路９に入力され、この制御回路９は交流−直流変換回路１および直流−交流変換回路２が動作しないように制御している。
【００１４】
図２は、上述したＸ線高電圧装置１０における電磁石装置２１の動作特性図を示している。
コンデンサ１１，１２が充電されている場合、出力直流電圧Ｖｏｕｔは分圧抵抗１５〜１８により低電圧の磁石供給電圧Ｖｍに降圧されて電磁石装置２１に供給されている。これによって電磁石装置２１が動作するとカバー２０が磁気吸引される。この電磁石装置２１によるカバー２０の保持力は、作業者がカバー２０を取り外すことができない程度に設定されている。しかし、Ｘ線曝射終了後、コンデンサ１１，１２の寿命劣化や感電防止のため、図２に示すようにコンデンサ１１，１２を放電させて出力直流電圧Ｖｏｕｔを下げて行く。従来では放電用抵抗を用いて短時間で強制放電させていたが、ここでは電圧分担を均等化する均等化抵抗１３，１４等の分圧手段により長い時定数で放電させる。同図に示すように磁石供給電圧Ｖｍは出力直流電圧Ｖｏｕｔと同じ時定数で下がって行き、出力直流電圧Ｖｏｕｔが感電危険電圧を下回って感電安全電圧になると、磁石供給電圧Ｖｍは磁石動作電圧を下回って電磁石装置２１のよる磁気保持力が低下して、カバー２０を取り外すことが可能となる。
【００１５】
再びＸ線曝射を行う場合、交流−直流変換回路１が動作し、コンデンサ１１，１２が充電されて出力直流電圧Ｖｏｕｔが立ち上がり、これに伴って磁石供給電圧Ｖｍも上昇して電磁石装置２１がカバー２０を磁気吸引して、作業者がカバー２０を容易に取り外すことができない状態となる。このとき、カバー２０が取り付けられていない場合、マイクロスイッチ等の検出手段２２のオフ信号によって制御回路９は交流−直流変換回路１および直流−交流変換回路２が動作しないように制御しており、カバー２０の取り付け忘れに対するインターロックがかかってコンデンサ１１，１２が充電されることはない。
【００１６】
図３は、図１に示したＸ線高電圧装置１０における出力直流電圧Ｖｏｕｔの分圧部分を示す回路図である。
ここで、出力直流電圧Ｖｏｕｔを５００Ｖ、コンデンサ１１，１２の静電容量Ｃ１，Ｃ２をそれぞれ１０ｍＦ、均等化抵抗１３，１４の抵抗値Ｒ１，Ｒ２をそれぞれ１０ｋΩとした場合、放電時定数τｏｕｔはτｏｕｔ＝Ｃ１×Ｒ１＝１００ｓとなる。分圧抵抗１５，１８の抵抗値Ｒ３，Ｒ６をそれぞれ１００ｋΩ、分圧抵抗１６，１７の抵抗値Ｒ４，Ｒ５をそれぞれ１０ｋΩとした場合、分圧比は１０：１となり、出力直流電圧Ｖｏｕｔ＝５００Ｖのとき磁石供給電圧Ｖｍ＝２２．７Ｖとなり電磁石装置２１が動作する。Ｘ線曝射が終了して出力直流電圧Ｖｏｕｔが感電安全電圧３０Ｖまで低下すると、磁石供給電圧Ｖｍは１．４Ｖとなり電磁石装置２１が動作しなくなる。
【００１７】
図４は上述したＸ線高電圧装置１０における電磁石装置２１の具体的な動作特性図を示している。
Ｘ線曝射終了後、コンデンサ１１，１２の寿命劣化や感電防止のためにそれを放電させて出力直流電圧Ｖｏｕｔを下げて行くと、同図に示すように磁石供給電圧Ｖｍも出力直流電圧Ｖｏｕｔと同じ時定数で下がって行く。このときから７０ｓ経過すると、出力直流電圧Ｖｏｕｔは感電危険電圧３０Ｖを下回って感電安全電圧になり、また磁石供給電圧Ｖｍは１．４Ｖになっており磁石動作電圧を下回って電磁石装置２１が停止状態となり、カバー２０を取り外すことが可能となる。こうしてＸ線曝射終了後、約７０ｓでカバー２０の取り外しが可能となる。
【００１８】
図５は、上述したＸ線高電圧装置１０における電磁石装置２１と検出手段２２の取り付け位置を示す斜視図である。
Ｘ線高電圧装置１０の全体を収納するケース２３の上下左右の４箇所にそれぞれ電磁石装置２１および検出手段２２を設置し、カバー２０はこのケース２３から完全に取り外せる構成となっている。電磁石装置２１はケース２３の表面から１ｍｍ程度後退した位置に取り付け、検出手段２２はケース２３の表面から１ｍｍ程度突出した位置に取り付けている。また、ケース２３とカバー２０の問には電磁シールド効果があり、かつ弾力性のあるガスケット２４等を取り付けている。ケース２３に対してカバー２０が取り付けられると、検出手段２２がオンしてそのインターロックが解除される。その後、交流−直流変換回路１が動作し、コンデンサ１１，１２が充電されて電磁石装置２１がカバー２０を電磁吸引してその取り外しが容易にできない状態になると共に、ケース２３にカバー２０が密着して電磁放射ノイズを低減する効果が増大する。
【００１９】
このようにＸ線高電圧装置１０を収納したケース２３に取り外し可能なカバー２０を設け、コンデンサ１１，１２が充電されている場合の出力直流電圧Ｖｏｕｔを分圧した低電圧の磁石供給電圧Ｖｍによってカバー２０を磁気的に保持する電磁石装置２１を設けたため、Ｘ線曝射終了後、コンデンサ１１，１２を放電させて出力直流電圧Ｖｏｕｔを下げて行くと磁石供給電圧Ｖｍも低下し、これに合わせて電磁石装置２１の保持力を低下させてカバー２０の取り外し可能状態とすることができる。しかも、コンデンサ１１，１２の充電中にはカバー２０を取り外すことができないので、作業者の感電を防止することができると共に、ケース２３にカバー２０を密着させて電磁放射ノイズの漏洩を低減することができる。
【００２０】
またケース２３のカバー２０に対応した部分には、カバー２０が取り付けられていることを検知するマイクロスイッチ等の検出手段２２を設けており、カバー２０が取り外されていて検出手段２２による検出がない場合、その制御回路９により交流−直流変換回路１および直流−交流変換回路２が動作しないように制御することができ、カバー２０の取り付け忘れを防止して一層安全性を向上させることができる。
【００２１】
図６は、本発明の他の実施の形態によるＸ線高電圧装置を示すブロック構成図であり、先の実施の形態との同等物には同一符号を付けて詳細な説明を省略している。
コンデンサ１１，１２の電圧を分圧するために設けた分圧抵抗１５〜１８の直列接続体のうち分圧抵抗１６は、その両端電圧を出力直流電圧ＶｏｕｔのＮ分の１にまで降圧しており、その両端電圧を磁石供給判定電圧Ｖｒとして判定回路２５に供給している。この判定回路２５では、出力直流電圧Ｖｏｕｔが感電安全電圧にまで降下したことに対応する比較電圧Ｖａと、磁石供給判定電圧Ｖｒとを比較し、磁石供給判定電圧Ｖｒが比較電圧Ｖａ以下になったことを判定したときスイッチ２６をオフするようにしている。電磁石装置２１は、定電圧を供給する定電圧電源２７から電流の供給を受けており、その回路中にスイッチ２６が設けられている。従って、判定回路２５で磁石供給判定電圧Ｖｒが比較電圧Ｖａ以下になったことを判定したとき、スイッチ２６がオフ動作して電磁石装置２１への電流が遮断される。
【００２２】
図７は、上述した判定回路２５の具体例を示す回路図である。
磁石供給判定電圧Ｖｒの供給を受けた判定回路２５は、その内部では出力直流電圧Ｖｏｕｔが感電安全電圧にまで降下したことに対応する比較電圧Ｖａを比較電圧生成部３０で生成しており、比較器２８でこの比較電圧Ｖａと磁石供給判定電圧Ｖｒとを比較している。磁石供給判定電圧Ｖｒが比較電圧Ｖａ以下になると、比較器２８からの出力信号はスイッチ２６にオフ指令として与えられ、スイッチ２６のオフ動作によって定電圧電源２７から電磁石装置２１への電流が遮断される。また判定回路２５の入力部には、磁石供給判定電圧Ｖｒが大きな値のときに比較器２８の破損を防止する保護素子２９を接続している。
【００２３】
図８は、図６に示したＸ線高電圧装置１０における出力直流電圧Ｖｏｕｔの分圧部分を示す回路図である。
出力直流電圧Ｖｏｕｔを５００Ｖ、コンデンサ１１，１２の静電容量Ｃ１，Ｃ２をそれぞれ１０ｍＦ、均等化抵抗１３，１４の抵抗値Ｒ１，Ｒ２をそれぞれ１０ｋΩとした場合、放電時定数は１００ｓとなる。分圧抵抗１５，１８の抵抗値Ｒ３，Ｒ６をそれぞれ１００ｋΩ、分圧抵抗１６，１７の抵抗値Ｒ４，Ｒ５をそれぞれ２０ｋΩとした場合、分圧比は５：１となり、出力直流電圧Ｖｏｕｔが５００Ｖのとき磁石供給電圧Ｖｍは４１．７Ｖとなり電磁石装置２１が動作する。しかしＸ線曝射が終了し、出力直流電圧Ｖｏｕｔが感電安全電圧３０Ｖまで下がると磁石供給判定電圧Ｖｒは２．５Ｖとなり、その信号はスイッチ２６に与えられてスイッチ２６がオフ状態となり、定電圧電源２７から電磁石装置２１への電流が遮断され電磁石装置３０が磁気保持力を失う。
【００２４】
図９は上述したＸ線高電圧装置１０における電磁石装置２１の具体的な動作特性図を示している。
Ｘ線曝射終了後、コンデンサ１１，１２を放電させて出力直流電圧Ｖｏｕｔを下げて行くと、同図に示すように磁石供給電圧Ｖｍも出力直流電圧Ｖｏｕｔと同様の時定数で下がって行く。このときから７０ｓ経過すると、出力直流電圧Ｖｏｕｔは感電危険電圧３０Ｖを下回って感電安全電圧になり、また磁石供給判定電圧Ｖｒは２．５Ｖになって比較電圧Ｖａを下回ることになり、これを検出した判定回路２５はスイッチ２６を開き、定電圧電源２７から電磁石装置２１への磁石供給電圧Ｖｍを立つ。従って、電磁石装置２１が磁気保持力を低下させ、Ｘ線曝射終了後、約７０ｓでカバー２０を取り外すことが可能となる。
【００２５】
本実施の形態によるＸ線高電圧装置は、電磁石装置２１の電源として新たな定電圧電源２７を設け、また出力直流電圧Ｖｏｕｔが所定の電圧まで低下したことを検出する判定回路２５を設け、この判定回路２５によって電磁石装置２１の定電圧電源２７を遮断するようにしたため、電磁石装置２１は出力直流電圧Ｖｏｕｔの変動による影響を受けずに定電圧電源２７から安定した電流を供給してその動作特性を安定させることができる。従って、出力直流電圧Ｖｏｕｔの低下に関連してカバー２０を取り外し可能にするタイミングの設定も容易になる。
【００２６】
図１０は、本発明のさらに他の実施の形態によるＸ線高電圧装置を示すブロック構成図であり、先の実施の形態との同等物には同一符号を付けて詳細な説明を省略している。
コンデンサ１１，１２の電圧を分圧するための分圧抵抗１５〜１８のうち、分圧抵抗１６の両端電圧は、出力直流電圧ＶｏｕｔのＮ分の１まで降圧されて磁石供給電圧Ｖｍとして電磁石装置２１に供給されている。この電磁石装置２１の電源回路にはスイッチ３１が設けられており、このスイッチ３１は制御回路９を介して外部に設けた緊急停止用ボタン３２からの信号に基づいて開操作されるようにしている。
【００２７】
Ｘ線高電圧装置１０内部の電気部品が故障したり、発火等の緊急事態が生じたとき、一刻も早くカバー２０を取り外す必要がある。そのとき、緊急停止ボタン３２を動作させると制御回路９を介してスイッチ３１が開操作されて電磁石装置２１への電源回路が遮断され、それまで電磁石装置２１によって磁気的に保持されていたカバー２０を即座に取り外すことが可能な状態となり、ケース２４内での緊急事態に直ちに対応することができる。
【００２８】
図１１は、本発明のさらに他の実施の形態によるＸ線高電圧装置を示すブロック構成図であり、図６に示したＸ線高電圧装置１０に図１０に示した考えを適用したものである。
コンデンサ１１，１２の電圧を分圧するために設けた分圧抵抗１５〜１８の直列接続体のうち分圧抵抗１６は、その両端電圧を出力直流電圧ＶｏｕｔのＮ分の１まで降圧しており、その両端電圧を磁石供給判定電圧Ｖｒとして判定回路２５に供給している。この判定回路２５では、出力直流電圧Ｖｏｕｔが感電安全電圧にまで降下したことに対応する比較電圧Ｖａと、磁石供給判定電圧Ｖｒとを比較し、磁石供給判定電圧Ｖｒが比較電圧Ｖａ以下になったことを判定したときスイッチ２６をオフするようにしている。電磁石装置２１は直流電源２５から磁石供給電圧Ｖｍの供給を受けており、その電源回路中にスイッチ２６が設けられている。従って、判定回路２５で磁石供給判定電圧Ｖｒが比較電圧Ｖａ以下になったことを判定したとき、スイッチ２６がオフ動作して電磁石装置２１への電流が遮断される。また判定回路２５への磁石供給判定電圧Ｖｒの供給回路にはスイッチ３１が設けられており、このスイッチ３１は制御回路９を介して外部に設けた緊急停止用ボタン３２からの信号に基づいて開操作される。
【００２９】
このようなＸ線高電圧装置によれば、図６の場合と同様に電磁石装置２１は出力直流電圧Ｖｏｕｔの変動による影響を受けずに定電圧電源２７から安定した電流を供給してその動作特性を安定させることができる。従って、出力直流電圧Ｖｏｕｔの低下に関連してカバー２０を取り外し可能にするタイミングの設定も容易になる。また、図１０の場合と同様にＸ線高電圧装置１０に緊急事態が生じたとき、緊急停止ボタン３２を動作させると制御回路９を介してスイッチ３１が開操作されて電磁石装置２１への電源供給が遮断され、それまで電磁石装置２１によって磁気的に保持されていたカバー２０を即座に取り外すことが可能な状態となり、ケース２４内での緊急事態に直ちに対応することができる。
【００３０】
図１２は、本発明のさらに他の実施の形態によるＸ線高電圧装置を示すブロック構成図であり、先の実施の形態との同等物には同一符号を付けて詳細な説明を省略する。
コンデンサ１１，１２の電圧を分圧するためにその電極間に並列接続した分圧抵抗１５〜１８のうち、分圧抵抗１６の両端電圧は出力直流電圧ＶｏｕｔのＮ分の１まで降圧し鍵供給電圧Ｖｋとして電磁鍵装置３３に供給している。この電磁鍵装置３３に対応した位置のカバー２０には固定部３４が設けられており、電磁鍵装置３３のにおける可動錠部３３ａの動作によって固定部３４と係合したり、それを釈放したりする。
【００３１】
電磁鍵装置３３は、その斜視図を図１３に示すように支点３３ｂを中心にして回動可能であり、また楕円孔３５に沿って水平方向に移動可能な可動錠部３３ａを有している。コンデンサ１１，１２に所定電圧が印加されていて電磁鍵装置３３に鍵供給電圧Ｖｋが供給されている間は、電磁鍵装置３３における可動錠部３３ａが時計方向に回動されて固定部３４に係合した後、楕円孔３５に沿って水平方向に移動されて固定部３４との係合を強め、カバー２０をケース２３に密着させている。しかし、図１４に示すようにコンデンサ１１，１２が放電されて鍵感電危険電圧以下になると、電磁鍵装置３３は供給電圧Ｖｋによる保持力を失い、可動錠部３３ａが楕円孔３５に沿って水平方向に移動されて固定部３４との係合を緩め、反時計方向に回動されて固定部３４との係合を解く。このため、カバー２０が取り外し可能な状態となる。
【００３２】
この説明から分かるように上述した電磁鍵装置３３は、先の電磁石装置２１の機能と鍵の機能を組み合わせて構成しているが、それぞれ機能別に別体に構成し、電磁石装置２１によるカバー２０の吸着が行われたとき、楕円孔３５でカバー２０の動きを吸収するようにしても良い。また電磁鍵装置３３をカバー２０側に取り付け、固定部３４をケース２３側に取り付け、カバー２０の外側から手動で可動錠部３３ａを回動して固定部３４に係合させ、その後、電磁的にこの係合状態を保持するようにしても良い。
【００３３】
このようなＸ線高電圧装置によれば、コンデンサ１１，１２が充電されている場合の出力直流電圧Ｖｏｕｔを分圧した低電圧の鍵供給電圧Ｖｋによってカバー２０を磁気的に保持する電磁鍵装置３３を設けたため、Ｘ線曝射終了後、コンデンサ１１，１２を放電させて出力直流電圧Ｖｏｕｔを下げて行くと鍵供給電圧Ｖｋも低下し、これに合わせて電磁鍵装置２１の保持力を低下させてカバー２０の取り外し可能状態とすることができる。しかも、可動錠部３３ａと固定部３４との係合部が存在するため、コンデンサ１１，１２の充電中に力ずくでカバー２０を取り外すこともできないので、作業者の感電を防止することができると共に、ケース２３にカバー２０を密着させて電磁放射ノイズの漏洩を低減することができる。
【００３４】
【発明の効果】
以上で説明したように本発明のＸ線高電圧装置によれば、コンデンサに所定電圧より高い電圧が印加された状態ではカバーの取り外しができず、コンデンサの印加電圧が所定値以下になると、電磁石装置によるカバーを取り外し可能な状態とすることができるので、メンテナンス時の作業効率を低下させることのない感電防止機構を有し、かつ電磁放射ノイズを低減し、周辺装置への悪影響、特にＸ線撮影像を表示するモニターへのノイズ混入を防止でき、小型で安価なＸ線高電圧装置を提供できる。
【図面の簡単な説明】
【図１】本発明の一実施の形態によるＸ線高電圧装置のブロック構成図である。
【図２】図１に示したＸ線高電圧装置における要部の動作特性図である。
【図３】図１に示したＸ線高電圧装置における要部の具体例を示す回路図である。
【図４】図３に示したＸ線高電圧装置における要部の動作特性図である。
【図５】図１に示したＸ線高電圧装置における他の要部を示す斜視図である。
【図６】本発明の一実施の他の形態によるＸ線高電圧装置のブロック構成図である。
【図７】図６に示したＸ線高電圧装置における要部の具体構成を示す回路図である。
【図８】図６に示したＸ線高電圧装置における他の要部の具体構成を示す回路図である。
【図９】図８に示したＸ線高電圧装置における要部の動作特性図である。
【図１０】本発明の一実施のさらに他の形態によるＸ線高電圧装置のブロック構成図である。
【図１１】本発明の一実施のさらに他の形態によるＸ線高電圧装置のブロック構成図である。
【図１２】本発明の一実施のさらに他の形態によるＸ線高電圧装置のブロック構成図である。
【図１３】図１２に示したＸ線高電圧装置の要部を示す斜視図である。
【図１４】図１２に示したＸ線高電圧装置における要部の動作特性図である。
【符号の説明】
１  交流−直流変換回路
２  直流−交流変換回路
３  高電圧タンク
４  直流電源
６  Ｘ線管
８  商用交流電圧源
９  制御回路
１０  Ｘ線高電圧装置
１１，１２  コンデンサ
１３，１４  均等化抵抗
１５〜１８  分圧抵抗
２０  カバー
２１  電磁石装置
２３  ケース
【図１】
2004342439.tif 000003
【図２】
2004342439.tif 000004
【図３】
2004342439.tif 000005
【図４】
2004342439.tif 000006
【図５】
2004342439.tif 000007
【図６】
2004342439.tif 000008
【図７】
2004342439.tif 000009
【図８】
2004342439.tif 000010
【図９】
2004342439.tif 000011
【図１０】
2004342439.tif 000012
【図１１】
2004342439.tif 000013
【図１２】
2004342439.tif 000014
【図１３】
2004342439.tif 000015
【図１４】
2004342439.tif 000016